【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
撮像装置であって、
画像を表示する表示手段と、
シャッタースイッチと、
前記撮像装置の複数の動作状態について、それぞれ異なる複数の機能が割り当てられた操作部材と、
前記操作部材への接触を検知する検知手段と、
前記検知手段により前記操作部材への接触を検知した場合に、該接触を検知した時の前記撮像装置の動作状態において前記操作部材に割り当てられた機能を前記表示手段に表示し、前記シャッタースイッチが操作された場合に、前記操作部材への接触を検知した場合であっても、前記操作部材に割り当てられた機能を前記表示手段に表示しないように制御する制御手段と
を有することを特徴とする撮像装置。
【請求項２】
前記制御手段による前記機能の表示、非表示を切り換える切換手段を更に有し、
前記検知手段により前記操作部材への接触を検知した場合に、前記制御手段は、前記切換手段により前記機能の表示が設定された場合には前記機能を表示し、非表示が設定された場合には前記機能を表示しないように制御することを特徴とする請求項１に記載の撮像装置。
【請求項３】
前記制御手段は、前記切換手段により前記機能の非表示が設定されている場合に、非表示が設定されている旨を前記表示手段に更に表示するように制御することを特徴とする請求項２に記載の撮像装置。
【請求項４】
前記制御手段は、前記切換手段による設定状態及び前記操作部材への接触の検知に関わらず、前記操作部材の機能の設定内容を前記表示手段に更に表示し、前記切換手段により前記機能の非表示が設定されている状態で、前記検知手段により前記操作部材への接触を検知した場合に、前記制御手段は、前記表示された設定内容の内、前記操作部材を操作することで変更可能な設定内容を、前記検知された前記操作部材への接触に応じて、変更不可能な設定内容と表示の仕方を変えて表示することを特徴とする請求項２または３に記載の撮像装置。
【請求項５】
前記表示の仕方は、設定内容の拡大表示及び表示色の変更を含むことを特徴とする請求項４に記載の撮像装置。
【請求項６】
前記撮像装置が水中撮影モードに設定されている場合に、前記操作部材に割り当てられた機能を前記表示手段に表示しないことを特徴とする請求項１乃至５のいずれか一方に記載の撮像装置。
【請求項７】
画像を表示する表示手段と、シャッタースイッチと、撮像装置の複数の動作状態について、それぞれ異なる複数の機能が割り当てられた操作部材と、前記操作部材への接触を検知する検知手段とを有する前記撮像装置における、前記表示手段の表示制御方法であって、
前記検知手段による前記操作部材への接触の有無を判断する検知工程と、
前記検知工程において前記操作部材への接触を検知した場合に、該接触を検知した時の動作状態において前記操作部材に割り当てられた機能を前記表示手段に表示し、前記シャッタースイッチが操作された場合に、前記操作部材への接触を検知した場合であっても、前記操作部材に割り当てられた機能を前記表示手段に表示しない表示工程と
を有することを特徴とする表示制御方法。
【請求項８】
前記機能の表示、非表示を切り換える切換工程を更に有し、
前記表示工程は、前記検知工程において前記操作部材への接触を検知した場合、前記切換工程により前記機能の表示が設定されていれば実行されることを特徴とする請求項７に記載の表示制御方法。
【請求項９】
前記切換工程により前記機能の非表示が設定されている場合に、非表示が設定さている旨を前記表示手段に表示する工程を更に有することを特徴とする請求項８に記載の表示制御方法。
【請求項１０】
前記切換工程における設定状態及び前記操作部材への接触の検知に関わらず、前記操作部材の機能の設定内容を前記表示手段に表示する工程と、
前記切換工程により前記機能の非表示が設定されている状態で、前記検知手段により前記操作部材への接触を検知した場合に、前記表示された設定内容の内、前記操作部材を操作することで変更可能な設定内容を、前記検知された前記操作部材への接触に応じて、変更不可能な設定内容と表示の仕方を変えて表示する工程と
を更に有することを特徴とする請求項８または９に記載の表示制御方法。
【請求項１１】
前記表示の仕方は、設定内容の拡大表示及び表示色の変更を含むことを特徴とする請求項１０に記載の表示制御方法。
【請求項１２】
前記撮像装置が水中撮影モードに設定されている場合に、前記操作部材に割り当てられた機能を前記表示手段に表示しないことを特徴とする請求項７乃至１１のいずれか１項に記載の表示制御方法。
【請求項１３】
情報処理装置に、請求項７乃至１２のいずれか１項に記載の表示制御方法の各工程を実行させるためのプログラム。
【請求項１４】
請求項１３に記載のプログラムを格納したことを特徴とする情報処理装置が読み取り可能な記憶媒体。
【手続補正２】
【補正対象書類名】明細書
【補正対象項目名】０００５
【補正方法】変更
【補正の内容】
【０００５】
上記課題を解決する為に、本発明の撮像装置は、画像を表示する表示手段と、前記撮像装置の複数の動作状態について、それぞれ異なる複数の機能が割り当てられた操作部材と、前記操作部材への接触を検知する検知手段と、前記検知手段により前記操作部材への接触を検知した場合に、該接触を検知した時の前記撮像装置の動作状態において前記操作部材に割り当てられた機能を前記表示手段に表示し、前記シャッタースイッチが操作された場合に、前記操作部材への接触を検知した場合であっても、前記操作部材に割り当てられた機能を前記表示手段に表示しないように制御する制御手段とを有する。
【手続補正３】
【補正対象書類名】明細書
【補正対象項目名】０００６
【補正方法】変更
【補正の内容】
【０００６】
また、画像を表示する表示手段と、シャッタースイッチと、撮像装置の複数の動作状態について、それぞれ異なる複数の機能が割り当てられた操作部材と、前記操作部材への接触を検知する検知手段とを有する前記撮像装置における、前記表示手段の本発明の表示制御方法は、前記検知手段による前記操作部材への接触の有無を判断する検知工程と、前記検知工程において前記操作部材への接触を検知した場合に、該接触を検知した時の動作状態において前記操作部材に割り当てられた機能を前記表示手段に表示し、前記シャッタースイッチが操作された場合に、前記操作部材への接触を検知した場合であっても、前記操作部材に割り当てられた機能を前記表示手段に表示しない表示工程とを有する。
【手続補正４】
【補正対象書類名】明細書
【補正対象項目名】００２７
【補正方法】変更
【補正の内容】
【００２７】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸長回路３２で圧縮を行い、記録媒体２００あるいは２１０に画像データを書き込む記録処理が行われる。
【手続補正５】
【補正対象書類名】明細書
【補正対象項目名】００９８
【補正方法】変更
【補正の内容】
【００９８】
本第２の実施形態では、十字キーに指が接触しているかどうかを、撮像装置の撮影・再生の処理とは独立した処理で監視し、十字キーへの接触を感知したときに、割り込みを掛けて、図１２を参照して後述するガイダンス表示処理を行う。まず、本第２の実施形態におけるメインルーチンについて説明する。
【手続補正６】
【補正対象書類名】明細書
【補正対象項目名】０１２１
【補正方法】変更
【補正の内容】
【０１２１】
図１３（ａ）は撮影モードでの通常状態を示している。なお、この状態では、ガイダンス表示設定フラグ及びガイダンス表示許可フラグのＯＮ／ＯＦＦに関わらず同様の表示となる。
【手続補正７】
【補正対象書類名】明細書
【補正対象項目名】０１２２
【補正方法】変更
【補正の内容】
【０１２２】
図１３（ｂ）は、ガイダンス表示設定フラグ及びガイダンス表示許可フラグが共にＯＮの時に十字キーに触れた時の画面の様子を示す図である。十字キーに触れると十字キーに割り当てられている、ＩＳＯ感度設定、単写／連写／セルフタイマー設定、ストロボモード設定、マクロ・遠景設定機能を示すアイコン６０１がガイダンスとして表示される。
【手続補正８】
【補正対象書類名】明細書
【補正対象項目名】０１３２
【補正方法】変更
【補正の内容】
【０１３２】
また、モードダイアル６０が再生モードに設定されていた場合、図１５のステップＳ３２０において、ガイダンス表示許可フラグをＯＮに設定する。以下、ステップＳ１５０〜Ｓ１５５では、第１の実施形態において図４を参照して説明した動作を行う。ただし、本第３の実施形態のステップＳ１５５のガイダンス表示処理では、第２の実施形態で図１２を参照して説明した処理を行う。
【手続補正９】
【補正対象書類名】明細書
【補正対象項目名】０１３６
【補正方法】変更
【補正の内容】
【０１３６】
図１６（ｂ）は、撮影モードのシーンモードが水中以外で、ガイダンス表示設定フラグ及びガイダンス表示許可フラグが共にＯＮの時に、十字キーに触れた時の画面の様子である。十字キーに触れると十字キーに割り当てられている、ＩＳＯ感度設定、単写／連写／セルフタイマー設定、ストロボモード設定、マクロ・遠景設定機能を示すアイコン７０１がガイダンスとして表示される。